(57)【要約】【課題】画像データと無線タグデータとを対応付けて送信することができ、または、受信したデータに画像データと無線タグデータとが含まれる場合、その画像データに基づいて記録媒体に画像を形成し、且つその記録媒体に付加された無線タグに無線タグデータを書き込むことができる通信装置を提供すること。【解決手段】相手先装置６０は、ファクシミリデータ６３に含まれる画像データに基づいて、記録用紙７１に画像を形成すると共に、その記録用紙７１に付加された無線タグ７２に、ファクシミリデータ６３に含まれる無線タグデータを書き込む。このようにすれば、ファクシミリ装置１からファクシミリ送信した原稿６１の画像と、その原稿６１に付加された無線タグ６２に書き込まれていた無線タグデータとを、相手先装置６０において、記録用紙７１とその記録用紙７１に埋め込まれた無線タグ７２とにページ単位で記録し再現することができる。【選択図】図３
2008211717.tif 000002
【特許請求の範囲】
【請求項１】
原稿の画像データを読み取る読取手段と、
原稿に付加された無線タグから無線タグデータを読み出す無線タグ読出手段と、
前記読取手段により読み取られた画像データと、前記無線タグ読出手段により読み出された無線タグデータとを原稿のページ毎に対応付けて送信する送信手段と、
無線タグデータのデータサイズを検出する検出手段と、
その検出手段による検出結果に基づいて、前記無線タグデータのデータサイズに関するサイズ情報を、前記送信手段による送信の相手先装置に通知するデータサイズ通知手段とを備えることを特徴とする通信装置。
【請求項２】
前記検出手段により検出された無線タグデータのデータサイズが一種類かを判断するデータサイズ判断手段を備え、
前記データサイズ通知手段は、そのデータサイズ判断手段による判断結果に基づいて、前記無線タグデータのデータサイズに関するサイズ情報を通知するものであることを特徴とする請求項１記載の通信装置。
【請求項３】
前記データサイズ判断手段により、前記送信手段により送信する無線タグデータのデータサイズが一種類ではないと判断された場合、前記データサイズ通知手段は、無線タグのデータサイズが一種類ではないことを示すサイズ情報を通知するものであることを特徴とする請求項２記載の通信装置。
【請求項４】
前記データサイズ判断手段により、前記送信手段により送信する無線タグデータのデータサイズが一種類ではないと判断された場合、前記送信手段は、原稿のページ毎に、前記読取手段により読み取られた画像データと、前記無線タグ読出手段により読み出された無線タグデータと、その無線タグデータのデータサイズとを送信するものであることを特徴とする請求項２または３記載の通信装置。
【請求項５】
前記データサイズ判断手段により、前記送信手段により送信する無線タグデータのデータサイズが一種類であると判断された場合、前記データサイズ通知手段は、前記送信手段による画像データと無線タグデータとの送信よりも先に、その一種類のデータサイズを前記サイズ情報として前記相手先装置に通知するものであることを特徴とする請求項１から４のいずれかに記載の通信装置。
【請求項６】
原稿が載置される原稿載置部を備え、
その原稿載置部に載置された原稿と前記読取手段とが相対的に移動することにより前記原稿の画像データが読み取られるものであり、
前記無線タグ読出手段は、前記原稿載置部に載置された原稿と前記読取手段とが相対的に移動する過程において、その原稿に付加された無線タグの無線タグデータを読み出すことを特徴とする請求項１から５のいずれかに記載の通信装置。
【請求項７】
ページ単位の画像データと、その画像データに対応付けられた無線タグデータとを含むデータを受信する受信手段と、
その受信手段により受信したデータに含まれる画像データに基づいて記録媒体に画像を形成すると共に、その画像データに無線タグデータが対応付けられている場合、その画像データに基づく画像が形成された記録媒体に付加された無線タグに、その無線タグデータを書き込む記録手段と、
前記受信手段により受信したデータに含まれる無線タグデータのデータサイズに関するサイズ情報を取得するデータサイズ情報取得手段と、
そのデータサイズ情報取得手段により取得したサイズ情報に従って、前記記録手段による前記画像の形成と無線タグデータの書き込みとを制御する記録制御手段とを備えることを特徴とする通信装置。
【請求項８】
前記記録手段により画像を形成可能に設置された記録媒体について、その記録媒体に付加されている無線タグの書き込み可能容量を検出する記録媒体検出手段と、
前記データサイズ情報取得手段により取得したサイズ情報に従って、無線タグデータのデータサイズが、一種類であるかを判断するデータサイズ種類判断手段とを備え、
前記記録制御手段は、そのデータサイズ種類判断手段により、無線タグデータのデータサイズが一種類であることが判断された場合、前記記録媒体検出手段により検出された無線タグの書き込み可能容量と、前記データサイズ情報取得手段により取得したサイズ情報とに基づいて、前記記録手段による前記画像の形成と無線タグデータの書き込みとを制御することを特徴とする請求項７記載の通信装置。
【請求項９】
前記データサイズ種類判断手段により、無線タグデータのデータサイズが一種類でないことが判断された場合、無線タグデータのデータサイズを原稿の各ページのそれぞれについて取得するデータサイズ確認手段を備え、
前記記録制御手段は、前記記録媒体検出手段により検出された無線タグの書き込み可能容量と、前記データサイズ確認手段により取得した各ページ毎の無線タグデータのデータサイズとに基づいて、前記記録手段による前記画像の形成と無線タグデータの書き込みとを制御することを特徴とする請求項８記載の通信装置。
【請求項１０】
前記記録制御手段は、
前記記録媒体検出手段により検出した無線タグの書き込み可能容量と、無線タグデータのデータサイズとに基づいて、前記受信手段により受信するデータに含まれる無線タグデータを書き込み可能な記録媒体の有無を判断する記録媒体有無判断手段と、
前記記録媒体有無判断手段により、無線タグデータを書き込み可能な記録媒体が無いと判断された場合、前記受信手段により受信したデータに基づく画像の形成および無線タグデータの書き込みを停止する記録停止手段とを備え、
その記録停止手段による停止のため画像が形成されていない画像データおよび無線タグに書き込まれていない無線タグデータを保存するデータ保存手段とを備えることを特徴とする請求項８または９に記載の通信装置。
【請求項１１】
前記データ保存手段により、画像が形成されていない画像データおよび無線タグに書き込まれていない無線タグデータが保存された場合、その保存された無線タグデータを書き込み可能な無線タグのサイズに関する情報を少なくともユーザに報知する報知手段を備えることを特徴とする請求項１０記載の通信装置。
【請求項１２】
前記記録媒体有無判断手段は、無線タグデータを書き込み可能な記録媒体の有無を、原稿の画像データの各ページ毎に判断するものであり、
前記データ保存手段は、前記記録媒体有無判断手段により、無線タグデータを書き込み可能な記録媒体がないと判断されたページについて、画像データおよび無線タグデータを保存するものであり、
前記記録制御手段は、前記記録媒体有無判断手段により、無線タグデータを書き込み可能な記録媒体があると判断されたページについて、その画像データに基づく画像を形成し、無線タグデータを書き込むものであることを特徴とする請求項１０または１１に記載の通信装置。
【発明の詳細な説明】
【技術分野】
【０００１】
本発明は通信装置に関し、特に、画像データと無線タグデータとを対応付けて送信することができ、または、受信したデータに画像データと無線タグデータとが含まれる場合、その画像データに基づいて記録媒体に画像を形成し、且つその記録媒体に付加された無線タグに無線タグデータを書き込むことができる通信装置に関するものである。
【背景技術】
【０００２】
電話番号やファクシミリ番号などが記録された無線タグを名刺に埋め込み、この名刺から電話番号やファクシミリ番号を読み取って発信する技術が提案されている。
【特許文献１】特開２００５−３４８０２７号公報
【発明の開示】
【発明が解決しようとする課題】
【０００３】
しかしながら、無線タグに記録されたデータ自体を、通信回線を介して送受信する際の具体的利用法はほとんど提案されておらず、無線タグの利用可能性が十分に発揮されていないという問題点があった。
【０００４】
本発明は、上記問題点を解決するためになされたものであり、画像データと無線タグデータとを対応付けて送信することができ、または、受信したデータに画像データと無線タグデータとが含まれる場合、その画像データに基づいて記録媒体に画像を形成し、且つその記録媒体に付加された無線タグに無線タグデータを書き込むことができる通信装置を提供することを目的としている。
【課題を解決するための手段】
【０００５】
この目的を達成するために、請求項１記載の通信装置は、原稿の画像データを読み取る読取手段と、原稿に付加された無線タグから無線タグデータを読み出す無線タグ読出手段と、前記読取手段により読み取られた画像データと、前記無線タグ読出手段により読み出された無線タグデータとを原稿のページ毎に対応付けて送信する送信手段と、無線タグデータのデータサイズを検出する検出手段と、その検出手段による検出結果に基づいて、前記無線タグデータのデータサイズに関するサイズ情報を、前記送信手段による送信の相手先装置に通知するデータサイズ通知手段とを備えることを特徴とする。
【０００６】
ここでいう無線タグとは、非接触でデータの読み書きが可能な記録媒体であって、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称されるものである。また、原稿に付加された無線タグとは、原稿に貼付された無線タグだけではなく、例えば、原稿に埋め込まれた無線タグも含む。
【０００７】
請求項２記載の通信装置は、請求項１記載の通信装置において、前記検出手段により検出された無線タグデータのデータサイズが一種類かを判断するデータサイズ判断手段を備え、前記データサイズ通知手段は、そのデータサイズ判断手段による判断結果に基づいて、前記無線タグデータのデータサイズに関するサイズ情報を通知するものであることを特徴とする。
【０００８】
請求項３記載の通信装置は、請求項２記載の通信装置において、前記データサイズ判断手段により、前記送信手段により送信する無線タグデータのデータサイズが一種類ではないと判断された場合、前記データサイズ通知手段は、無線タグのデータサイズが一種類ではないことを示すサイズ情報を通知するものであることを特徴とする。
【０００９】
請求項４記載の通信装置は、請求項２または３に記載の通信装置において、前記データサイズ判断手段により、前記送信手段により送信する無線タグデータのデータサイズが一種類ではないと判断された場合、前記送信手段は、原稿のページ毎に、前記読取手段により読み取られた画像データと、前記無線タグ読出手段により読み出された無線タグデータと、その無線タグデータのデータサイズとを送信するものであることを特徴とする。
【００１０】
請求項５記載の通信装置は、請求項１から４のいずれかに記載の通信装置において、前記データサイズ判断手段により、前記送信手段により送信する無線タグデータのデータサイズが一種類であると判断された場合、前記データサイズ通知手段は、前記送信手段による画像データと無線タグデータとの送信よりも先に、その一種類のデータサイズを前記サイズ情報として前記相手先装置に通知するものであることを特徴とする。
【００１１】
請求項６記載の通信装置は、請求項１から５のいずれかに記載の通信装置において、原稿が載置される原稿載置部を備え、その原稿載置部に載置された原稿と前記読取手段とが相対的に移動することにより前記原稿の画像データが読み取られるものであり、前記無線タグ読出手段は、前記原稿載置部に載置された原稿と前記読取手段とが相対的に移動する過程において、その原稿に付加された無線タグの無線タグデータを読み出すことを特徴とする。
【００１２】
請求項７記載の通信装置は、ページ単位の画像データと、その画像データに対応付けられた無線タグデータとを含むデータを受信する受信手段と、その受信手段により受信したデータに含まれる画像データに基づいて記録媒体に画像を形成すると共に、その画像データに無線タグデータが対応付けられている場合、その画像データに基づく画像が形成された記録媒体に付加された無線タグに、その無線タグデータを書き込む記録手段と、前記受信手段により受信したデータに含まれる無線タグデータのデータサイズに関するサイズ情報を取得するデータサイズ情報取得手段と、そのデータサイズ情報取得手段により取得したサイズ情報に従って、前記記録手段による前記画像の形成と無線タグデータの書き込みとを制御する記録制御手段とを備えることを特徴とする。
【００１３】
請求項８記載の通信装置は、請求項７記載の通信装置において、前記記録手段により画像を形成可能に設置された記録媒体について、その記録媒体に付加されている無線タグの書き込み可能容量を検出する記録媒体検出手段と、前記データサイズ情報取得手段により取得したサイズ情報に従って、無線タグデータのデータサイズが、一種類であるかを判断するデータサイズ種類判断手段とを備え、前記記録制御手段は、そのデータサイズ種類判断手段により、無線タグデータのデータサイズが一種類であることが判断された場合、前記記録媒体検出手段により検出された無線タグの書き込み可能容量と、前記データサイズ情報取得手段により取得したサイズ情報とに基づいて、前記記録手段による前記画像の形成と無線タグデータの書き込みとを制御することを特徴とする。
【００１４】
請求項９記載の通信装置は、請求項８記載の通信装置において、前記データサイズ種類判断手段により、無線タグデータのデータサイズが一種類でないことが判断された場合、無線タグデータのデータサイズを原稿の各ページのそれぞれについて取得するデータサイズ確認手段を備え、前記記録制御手段は、前記記録媒体検出手段により検出された無線タグの書き込み可能容量と、前記データサイズ確認手段により取得した各ページ毎の無線タグデータのデータサイズとに基づいて、前記記録手段による前記画像の形成と無線タグデータの書き込みとを制御することを特徴とする。
【００１５】
請求項１０記載の通信装置は、請求項８または９に記載の通信装置において、前記記録制御手段は、前記記録媒体検出手段により検出した無線タグの書き込み可能容量と、無線タグデータのデータサイズとに基づいて、前記受信手段により受信するデータに含まれる無線タグデータを書き込み可能な記録媒体の有無を判断する記録媒体有無判断手段と、前記記録媒体有無判断手段により、無線タグデータを書き込み可能な記録媒体が無いと判断された場合、前記受信手段により受信したデータに基づく画像の形成および無線タグデータの書き込みを停止する記録停止手段とを備え、その記録停止手段による停止のため画像が形成されていない画像データおよび無線タグに書き込まれていない無線タグデータを保存するデータ保存手段とを備えることを特徴とする。
【００１６】
請求項１１記載の通信装置は、請求項１０記載の通信装置において、前記データ保存手段により、画像が形成されていない画像データおよび無線タグに書き込まれていない無線タグデータが保存された場合、その保存された無線タグデータを書き込み可能な無線タグのサイズに関する情報を少なくともユーザに報知する報知手段を備えることを特徴とする。
【００１７】
請求項１２記載の通信装置は、請求項１０または１１記載の通信装置において、前記記録媒体有無判断手段は、無線タグデータを書き込み可能な記録媒体の有無を、原稿の画像データの各ページ毎に判断するものであり、前記データ保存手段は、前記記録媒体有無判断手段により、無線タグデータを書き込み可能な記録媒体がないと判断されたページについて、画像データおよび無線タグデータを保存するものであり、前記記録制御手段は、前記記録媒体有無判断手段により、無線タグデータを書き込み可能な記録媒体があると判断されたページについて、その画像データに基づく画像を形成し、無線タグデータを書き込むものであることを特徴とする。
【発明の効果】
【００１８】
請求項１記載の通信装置によれば、読取手段により、原稿の画像データが読み取られ、無線タグ読出手段により、原稿に付加された無線タグから無線タグデータが読み出され、その読取手段により読み取られた画像データと、無線タグ読出手段により読み出された無線タグデータとが、送信手段により原稿のページ毎に対応付けて送信される。そして、検出手段により、無線タグデータのデータサイズが検出され、その検出手段による検出結果に基づいて、データサイズ通知手段により、無線タグデータのデータサイズに関する情報が、送信手段による送信の相手先装置に通知される。
【００１９】
よって、請求項１記載の通信装置によれば、画像データ及び無線タグデータを受信した相手先装置は、サイズ情報に従って、画像データと無線タグデータとを特定し、それぞれを処理することができるという効果がある。
【００２０】
請求項２記載の通信装置によれば、請求項１記載の通信装置と同様に作用する上、検出手段により検出された無線タグデータのデータサイズが一種類かがデータサイズ判断手段により判断され、そのデータサイズ判断手段による判断結果に基づいて、データサイズ通知手段により、前記無線タグデータのデータサイズに関するサイズ情報が通知される。
【００２１】
よって、請求項２記載の通信装置によれば、請求項１の通信装置の奏する効果に加え、画像データ及び無線タグデータを受信した相手先装置は、送られてくる無線タグデータのデータサイズが一種類か否かに応じた、適切な対応が可能となるという効果がある。
【００２２】
請求項３記載の通信装置によれば、請求項２記載の通信装置と同様に作用する上、送信手段により送信する無線タグデータのデータサイズが一種類ではないことがデータサイズ判断手段により判断された場合、データサイズ通知手段により、無線タグのデータサイズが一種類ではないことを示すサイズ情報が通知される。
【００２３】
よって、請求項３記載の通信装置によれば、請求項２の通信装置の奏する効果に加え、画像データ及び無線タグデータを受信した相手先装置は、送られてくる無線タグデータのデータサイズが一種類でないことを認識し、適切な対応が可能となるという効果がある。
【００２４】
請求項４記載の通信装置によれば、請求項２または３に記載の通信装置の奏する効果に加え、送信手段により送信する無線タグデータのデータサイズが一種類ではないことがデータサイズ判断手段により判断された場合、送信手段により、原稿のページ毎に、読取手段により読み取られた画像データと、無線タグ読出手段により読み出された無線タグデータと、その無線タグデータのデータサイズとが送信される。よって、画像データおよび無線タグデータを受信した相手先装置は、原稿のページ毎に無線タグデータのデータサイズが異なっていたとしても、原稿のページ毎に送信される無線タグデータのデータサイズに従って、画像データと無線タグデータとを特定し、それぞれを処理することができるという効果がある。
【００２５】
請求項５記載の通信装置によれば、請求項１から４のいずれかに記載の通信装置の奏する効果に加え、送信手段により送信する無線タグデータのデータサイズが一種類であることがデータサイズ判断手段により判断された場合、送信手段による画像データと無線タグデータとの送信よりも先に、データサイズ通知手段により、その一種類のデータサイズがサイズ情報として通知される。よって、画像データおよび無線タグデータを受信した相手先装置は、データサイズに従って、画像データと無線タグデータとを特定し、それぞれを処理することができるという効果がある。
【００２６】
請求項６記載の通信装置によれば、請求項１から５のいずれかに記載の通信装置の奏する効果に加え、無線タグ読出手段は、原稿載置部に載置された原稿と読取手段とが相対的に移動する過程において、その原稿に付加された無線タグの無線タグデータを読み出すので、ユーザの作業が簡便であるという効果がある。
【００２７】
請求項７記載の通信装置によれば、受信手段により、ページ単位の画像データと、その画像データに対応付けられた無線タグデータとを含むデータとが受信され、その受信手段により受信したデータに含まれる画像データに基づいて、記録手段により、記録媒体に画像が形成されると共に、その画像データに無線タグデータが対応付けられている場合、その画像データに基づく画像が形成された記録媒体に付加された無線タグに、その無線タグデータが書き込まれる。ここで、受信手段により受信したデータに含まれる無線タグデータのデータサイズに関するサイズ情報が、データサイズ情報取得手段により取得され、そのデータサイズ情報取得手段により取得したサイズ情報に従って、記録手段による画像の形成と無線タグデータの書き込みとが、記録制御手段により制御される。
【００２８】
よって、請求項７記載の通信装置によれば、受信手段により受信したデータを、無線タグデータのデータサイズに応じて処理することができるという効果がある。
【００２９】
請求項８記載の通信装置によれば、請求項７記載の通信装置の奏する効果に加え、データサイズ種類判断手段により、無線タグデータのデータサイズが一種類であることが判断された場合、記録媒体検出手段により検出された無線タグの書き込み可能容量と、データサイズ情報取得手段により取得したサイズ情報とに基づいて、記録制御手段により、記録手段による画像の形成と無線タグデータの書き込みが制御されるので、記録媒体に付加された無線タグの書き込み容量に応じて、受信手段により受信したデータを処理することができるという効果がある。
【００３０】
請求項９記載の通信装置によれば、請求項８記載の通信装置の奏する効果に加え、記録媒体検出手段により検出された無線タグの書き込み可能容量と、データサイズ確認手段により取得した各ページ毎の無線タグデータのデータサイズとに基づいて、記録手段による画像の形成と無線タグデータの書き込みとが制御されるので、各ページ毎の無線タグのデータサイズに応じて、受信手段により受信したデータを処理することができるという効果がある。
【００３１】
請求項１０記載の通信装置によれば、請求項８または９に記載の通信装置の奏する効果に加え、無線タグデータを書き込み可能な記録媒体が無いと判断された場合、受信手段により受信したデータに基づく画像の形成および無線タグデータの書き込みが記録停止手段により停止され、その記録停止手段による停止のため画像が形成されていない画像データおよび無線タグに書き込まれていない無線タグデータがデータ保存手段により保存される。よって、無線タグデータを書き込み可能な記録媒体が無い場合であっても、送信元に対し同一のファクシミリデータを再送信してもらう必要がないという効果がある。
【００３２】
請求項１１記載の通信装置によれば、請求項１０記載の通信装置の奏する効果に加え、データ保存手段により、画像が形成されていない画像データおよび無線タグに書き込まれていない無線タグデータが保存された場合、その保存された無線タグデータを書き込み可能な無線タグのサイズに関する情報が少なくともユーザに報知されるので、保存された無線タグデータがあること、および保存された無線タグデータを書き込むために必要な無線タグのサイズを知ることができ、必要な記録媒体をセットするなどの適切な行動をとることができるという効果がある。
【００３３】
請求項１２記載の通信装置によれば、請求項１０または１１に記載の通信装置の奏する効果に加え、データ保存手段は、無線タグデータを書き込み可能な記録媒体がないと判断されたページについて、画像データおよび無線タグデータを保存するものであり、無線タグデータを書き込み可能な記録媒体があると判断されたページについて、その画像データに基づく画像を形成し、無線タグデータを書き込むので、画像データおよび無線タグデータを保存するためのメモリ容量を節約することができるという効果がある。
【発明を実施するための最良の形態】
【００３４】
以下、本発明の好ましい実施形態について、添付図面を参照して説明する。図１は、本発明の通信装置の一実施形態としてのファクシミリ装置１の模式的な断面図を示す図である。ファクシミリ装置１は、自動原稿送り装置２と、スキャナ部３と、プリンタ部４と、給紙トレイ部５とを有する。
【００３５】
自動原稿送り装置２は、原稿載置部２ａを備えている。ファクシミリ送信される原稿はこの原稿載置部２ａに原稿面を下向きにして載置される。そして、ユーザにより図示しないスタートキーが押下されると、その原稿は１ページずつ送られ、スキャナ部３によるデータの読み取りが行われた後に、原稿排出口（図示せず）から排出される。
【００３６】
スキャナ部３は、無線タグリーダ１５と、スキャナ装置２２とを備える。無線タグリーダ１５は、自動原稿送り装置２により送られてきた原稿に無線タグが付加されていた場合、無線によりその無線タグからデータを読み出すものである。また無線タグの有無に拘わらず、自動原稿送り装置２により送られる原稿の画像データが、スキャナ装置２２により読み取られる。
【００３７】
プリンタ部４は、無線タグライタ１６と、レーザプリンタ３０とを有する。無線タグライタ１６は、給紙トレイ部５から給紙される記録用紙に付加された無線タグに対し、無線によりデータを書き込むものである。レーザプリンタ３０は、イエローのトナーを収納したＹステーション３１、マゼンダのトナーを収納したＭステーション３２、シアンのトナーを収納したＣステーション３３およびブラックのトナーを収納したＫステーション３４を備えると共に、これら各ステーションのトナーを転写ドラム３５に受け渡すための中間転写ベルト３６や、定着用ローラ３７を備えている。このレーザプリンタ３０により画像が形成された記録用紙は、排紙スタッカ３９へ排紙される。
【００３８】
給紙トレイ部５は、３つの給紙トレイ５１，５２，５３を備えている。そして、各給紙トレイ５１，５２，５３には、それぞれ、検出センサ５４が設けられている。この検出センサ５４は、給紙トレイ５１，５２，５３に収納された記録用紙に、無線タグが付加されているか否か、また無線タグが付加されている場合は、その無線タグの書き込み可能容量を検出される。なお、この検出センサ５４は、積層された記録用紙の１枚に付加された無線タグの書き込み可能容量を検出することができる。
【００３９】
図２は、ファクシミリ装置１の電気的構成を示すブロック図である。ファクシミリ装置１には、ＣＰＵ１１、ＲＯＭ１２、ＲＡＭ１３、フラッシュメモリ１４、無線タグリーダ１５、無線タグライタ１６、ネットワーク・コントロール・ユニット（以下、「ＮＣＵ」と称する）１９、モデム２０、バッファ２１、スキャナ装置２２、符号化部２３、復号化部２４、レーザプリンタ３０、検出センサ５４、アンプ２７が備えられ、これらはバスライン２５を介して接続されている。
【００４０】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。ＲＯＭ１２は、このファクシミリ装置１で実行される制御プログラムを格納した書換不能なメモリである。図５から図７に示されるフローチャートのプログラムはＲＯＭ１２内に格納されている。
【００４１】
ＲＡＭ１３は、ファクシミリ装置１の各動作の実行時に、各種のデータを一時的に記憶するためのメモリであり、送信ファクシミリデータ記憶エリア１３１、送信無線タグデータサイズ記憶エリア１３２、無線タグデータ送信可能フラグ１３３、受信ファクシミリデータ記憶エリア１３４、サイズ情報記憶エリア１３５、受信無線タグデータサイズ記憶エリア１３６を備える。
【００４２】
図３を参照しつつ、ＲＡＭ１３に記憶される各種データについて説明する。図３（ａ）は、ファクシミリ装置１と、このファクシミリ装置１と同じ構成を有する相手先装置６０との間で行われるファクシミリ送受信を模式的に示す図である。
【００４３】
図３（ａ）に示すように、ファクシミリ装置１からファクシミリ送信しようとする原稿６１には、画像（図形、文字を含む）が形成されると共に、無線タグ６２が埋め込まれている。相手先装置６０へファクシミリ送信すべき原稿６１が原稿載置部２ａにセットされ、図示しないスタートキーがユーザにより押下されると、原稿６１は１ページずつ、スキャナ部３による読み取り位置に送られる。
【００４４】
ここで、スキャナ装置２２に対し相対移動する原稿６１の移動経路には、無線タグリーダ１５によるデータ読み出し位置が設けられている。したがって、自動原稿送り装置２によりスキャナ装置２２による読み取り位置に自動原稿送り装置２により原稿６１が移動する過程において、原稿６１に付加された無線タグ６２の無線タグデータが、無線タグリーダ１５により読み出される。このようにすれば、原稿６１の画像データおよび無線タグデータを読み取らせるためには、原稿載置部２ａに一度原稿を載置するだけで良く、ユーザの作業が簡便である。なお、無線タグリーダ１５により無線タグ６２から読み出されるデータを、無線タグデータと称している。なお、スキャナ装置２２や無線タグリーダ１５の配置関係は、これに限定されるものではなく、種々の対応が可能である。例えば、無線タグリーダが原稿６１の移動経路とは別に設けられていてもよい。この場合、無線タグの情報だけを必要に応じて先にまとめて読み取らせるといった使用形態も可能となる。
【００４５】
図３（ｂ）は、ファクシミリ装置１において、無線タグリーダ１５により読み出した無線タグデータと、スキャナ装置２２により読み取られたページ単位の画像データとを結合して作成される１ページ分のファクシミリデータ６３を模式的に示す図である。図３（ｂ）に示されるように、ファクシミリデータ６３は、無線タグデータと画像データとがページ単位で対応付けられたデータである。このようなファクシミリデータ６３を、ファクシミリ装置１と同様の構成を有する相手先装置６０へ送信する場合、相手先装置６０は、ファクシミリデータ６３に含まれる画像データに基づいて、記録用紙７１（図３（ａ）参照）に画像を形成すると共に、その記録用紙７１に付加された無線タグ７２に、ファクシミリデータ６３に含まれる無線タグデータを書き込む。このようにすれば、ファクシミリ装置１からファクシミリ送信した原稿６１の画像と、その原稿６１に付加された無線タグ６２に書き込まれていた無線タグデータとを、相手先装置６０において、記録用紙７１とその記録用紙７１に埋め込まれた無線タグ７２とにページ単位で記録し再現することができる。
【００４６】
また、図３（ｂ）に示すように、１ページ分のファクシミリデータ６３において、画像データよりも先頭側に無線タグデータが格納されている。このようにすれば、ファクシミリ装置１から相手先装置６０へのファクシミリ送信において、通信中に何らかの異常が発生し、ファクシミリ送信が中断された場合であっても、画像データのみが先に送信されてしまうことがない。よって、各ページの無線タグデータを確実にファクシミリ送信することができる。例えば、画像データの取り扱い等に関する重要情報が無線タグデータに書き込まれているにも拘らず、相手先装置６０において無線タグデータが正常に受信されない状態で画像データのみが受信されてしまうと、相手先において画像データが適正に扱われない可能性がある。そのため、無線タグデータを画像データよりも先に確実に送信することが必要である。
【００４７】
このようにして作成されたファクシミリデータ６３を、ファクシミリ装置１から相手先装置６０へファクシミリ送信する場合、ファクシミリ装置１は、ファクシミリデータ６３の送信に先立ち、無線タグデータのサイズ６４に関するサイズ情報を通知する。
【００４８】
このようにすれば、ファクシミリデータ６３を受信した相手先装置６０では、通知されたサイズ情報に従って、各ファクシミリデータ６３の先頭から所定サイズのデータを区分することにより、各ページの無線タグデータを特定することができる。
【００４９】
図２に戻り、説明する。送信ファクシミリデータ記憶エリア１３１は、画像データと無線タグデータとから作成されたファクシミリデータ６３（図３（ｂ）参照）を記憶するエリアである。送信無線タグデータサイズ記憶エリア１３２は、無線タグリーダ１５によって読み出した無線タグデータのデータサイズを、各ページ毎に記憶するエリアである。
【００５０】
無線タグデータ送信可能フラグ１３３は、ファクシミリ送信の相手先装置６０が、無線タグへデータを書き込む機能を有しているか否かを示すフラグである。本実施形態のファクシミリ装置１は、相手先装置６０が無線タグへデータを書き込む機能を有しているか否かに基づいて、ファクシミリ送信処理における画像データおよび無線タグデータを処理するのであるが、詳細は図５を参照して後述する。
【００５１】
受信ファクシミリデータ記憶エリア１３４は、受信したファクシミリデータ６３を記憶するエリアである。ファクシミリデータ６３は、その画像データに基づく画像が記録用紙７１に形成され、且つ、その無線タグデータが記録用紙７１に付加された無線タグ７２に書き込まれることを条件としてこの受信ファクシミリデータ記憶エリア１３４から消去されるが、無線タグデータを書き込み可能な無線タグ７２が付加された記録用紙７１がない場合、ファクシミリデータ６３は消去されず、受信ファクシミリデータ記憶エリア１３４に保存される。
【００５２】
サイズ情報記憶エリア１３５は、送信元ファクシミリ装置から通知されたサイズ情報を記憶するエリアである。ここで、送信元ファクシミリ装置からファクシミリ装置１へ通知されるサイズ情報としては、いずれのページのファクシミリデータ６３にも、無線タグデータが含まれないことを示す値である「無線タグデータサイズ＝０」と、各ページのファクシミリデータ６３に含まれる無線タグデータのデータサイズが一種類でないことを示す値である「無線タグデータサイズ＝不定」と、各ページのファクシミリデータ６３に含まれる無線タグデータのデータサイズが一種類である場合、その一種類のデータサイズを示すサイズ情報とが用いられるものとして説明する。
【００５３】
受信無線タグデータサイズ記憶エリア１３６は、ファクシミリデータ６３の送信元ファクシミリ装置から受信した、各ページ毎の無線タグデータのデータサイズを記憶するエリアである。
【００５４】
フラッシュメモリ１４は書換可能な不揮発性のメモリであり、送信データ保存メモリ１４１を備える。後述するように、相手先装置６０へのファクシミリデータの送信が禁止された場合、スキャナ装置２２により読み取られた画像データが、この送信データ保存メモリ１４１に保存される。
【００５５】
無線タグリーダ１５は、無線タグからデータを読み出すものであり、無線タグライタ１６は、無線タグへデータを書き込むものである。
【００５６】
図４を参照して、無線タグ６２、無線タグリーダ１５，無線タグライタ１６について説明する。図４（ａ）は、無線タグ６２の電気的構成を示す概略的なブロック図である。なお、図３を参照して説明した記録用紙７１に付加された無線タグ７２は、無線タグ６２と同一の構成を有している。図４（ａ）に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７が設けられている。アンテナ用コイル６２１は、共振コンデンサ６２２と並列に接続されて共振回路を構成し、無線タグリーダ１５または無線タグライタ１６から送信される所定の高周波数の電力用電波振動を受信して整流・平滑回路６２３に供給する。
【００５７】
整流・平滑回路６２３は、動力用電源回路を構成するもので、共振回路から送信されてきた電力用電波信号を整流し、平滑化して一定電圧の直流電力にしてＣＰＵ６２５などに供給する。
【００５８】
無線タグリーダ１５または無線タグライタ１６から送信されてくる信号は、電力用電波信号に重畳して送信され、その信号は変復調回路６２４により復調されてＣＰＵ６２５に与えられる。
【００５９】
ＣＰＵ６２５は、ＲＯＭ６２６に記憶された動作プログラムに従って動作し、変復調回路６２４から入力される信号に応じた処理を実行し、受信したデータをＥＥＰＲＯＭ６２７に書き込んだり、ＥＥＰＲＯＭ６２７からデータを読み出して変復調回路６２４により変調し、アンテナ用コイル６２１から電波信号として送信する。
【００６０】
上記構成の無線タグ６２において、整流・平滑回路６２３、変復調回路６２４、ＣＰＵ６２５、ＲＯＭ６２６、ＥＥＰＲＯＭ６２７はＩＣチップとされ、アンテナ用コイル６２１と共に記録用紙に埋め込まれている。
【００６１】
図４（ｂ）は、無線タグリーダ１５と無線タグライタ１６との電気的構成を示す概略的なブロック図である。図４（ｂ）に示すように、無線タグリーダ１５は、受信アンテナ用コイル１５１を備えた受信部１５２が設けられている。無線タグリーダ１６は、送信アンテナ用コイル１６１を備えた送信部１６２が設けられている。
【００６２】
無線タグリーダ１５によれば、無線タグ６２から送信された電波信号については、これを受信アンテナ用コイル１５１で受信し、受信部１５２で復調して無線タグデータとして弁別する。このようにして、無線タグ６２から無線タグデータを読み出すことができる。
【００６３】
無線タグライタ１６によれば、キャリア信号を送信部１６２で変調して電力用電波信号として送信アンテナ用コイル１６１から送信し、その後、送信すべき無線タグデータを電力用電波信号に重畳するように送信部１６２で変調して送信アンテナ用コイル１６１から送信する。これにより無線タグ６２に無線タグデータを書き込むことができる。
【００６４】
図２に戻り説明する。モデム２０は、ファクシミリデータ６３を変調・復調して伝送すると共に伝送制御用の各種手順信号を送受信するものであり、バッファ２１は、相手側ファクシミリ装置との間で送受信される符号化されたファクシミリデータを含むデータを一時的に格納するものである。
【００６５】
符号化部２３はファクシミリデータ６３の符号化を行うものである。復号化部２４は、バッファ２１に記憶された受信データを読み出して、これを復号化するものである。アンプ２７にはスピーカ２８が接続され、呼出音などをこのスピーカ２８から出力するためのものである。
【００６６】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、相手先装置側の交換機に接続され、更に電話回線を介して相手先装置に接続されている。
【００６７】
次に、図５を参照して、上記のように構成されたファクシミリ装置１のファクシミリ送信処理の動作を説明する。図５は、ファクシミリ送信処理を示すフローチャートである。このファクシミリ送信処理は、自動原稿送り装置２の原稿載置部２ａに原稿が載置され、相手先装置のファクシミリ番号が入力され、図示しないスタートキーがユーザによって押下された場合に実行される処理である。
【００６８】
まず、自動原稿送り装置２により１ページ分の原稿を送り（Ｓ２）、無線タグリーダ１５によって原稿の無線タグ６２を検出する（Ｓ４）。次に、無線タグデータがあるか否かを判断する（Ｓ６）。原稿に無線タグ６２が付加されていない場合、あるいは原稿に無線タグ６２が付加されているがデータが書き込まれていない場合、無線タグデータがないと判断され（Ｓ６：Ｎｏ）、Ｓ１２の処理に移行する。
【００６９】
一方、無線タグデータがある場合、すなわち、原稿に無線タグ６２が付加され、且つその付加された無線タグ６２にデータが書き込まれていた場合（Ｓ６：Ｙｅｓ）、無線タグリーダ１５によって、無線タグデータを読み出す（Ｓ８）。次に読み出した無線タグデータのデータサイズを検出し、送信無線タグデータサイズ記憶エリア１３２に記憶する（Ｓ１０）。次に、スキャナ装置２２によって、原稿の画像データを読み取り、Ｓ８で読み出された無線タグデータと共にファクシミリデータ６３としてページ毎に送信ファクシミリデータ記憶エリア１３１に記憶する（Ｓ１２）。
【００７０】
次に、原稿を全ページ読み取ったか否かを判断し（Ｓ１４）、未だ全ページを読み取っていない場合（Ｓ１４：Ｎｏ）、Ｓ２の処理に戻る。
【００７１】
このようにして１ページずつ処理を繰り返すうちに、原稿を全ページ読み取ると（Ｓ１４：Ｙｅｓ）、原稿の各ページ毎に無線タグデータと画像データとが結合されたファクシミリデータ６３（図３（ｂ）参照）がページ単位で生成され、送信ファクシミリデータ記憶エリア１３１に記憶された状態となる。なお、原稿のいずれのページからも無線タグデータが検出されなかった場合は、無線タグデータを有さないファクシミリデータ６３が作成される。
【００７２】
図６を参照して、ファクシミリ送信処理の続きを説明する。図６は、ファクシミリ送信処理を示すものであり、図５に示すファクシミリ送信処理の続きの処理を示すフローチャートである。
【００７３】
まず、発呼を開始し（Ｓ２０）、相手先装置６０との通信を開始する。次に、相手先装置６０からＮＳＦ信号を受信したか否かを判断する（Ｓ２２）。このＮＳＦ信号は、受信側装置から送信側装置へ送出されるファクシミリ制御信号であって、相手先装置６０が有している非標準の機能、すなわちメーカ独自機能を相手先装置６０からファクシミリ装置１へ通知するための信号である。なお、このＮＳＦ信号が請求の範囲に記載の「機能情報」の一例に相当する。ＮＳＦ信号を受信しない間（Ｓ２２：Ｎｏ）、処理を待機するが、ＮＳＦ信号を受信すると（Ｓ２２：Ｙｅｓ）、次に、受信したＮＳＦ信号に基づいて、相手先装置６０が無線タグへ情報を書き込む機能を有するか否かを判断する（Ｓ２４）。
【００７４】
そして、相手先装置６０が無線タグへ情報を書き込む機能を有する場合（Ｓ２４：Ｙｅｓ）、無線タグデータ送信可能フラグ１３３をオンとする（Ｓ２６）。一方、相手先装置６０が無線タグへ情報を書き込む機能を有しない場合（Ｓ２４：Ｎｏ）、無線タグデータ送信可能フラグ１３３をオフとする（Ｓ２８）。
【００７５】
そして、送信すべきファクシミリデータ６３に、無線タグデータが含まれているか否かを送信無線タグデータサイズ記憶エリア１３２を参照することにより判断する（Ｓ３０）。いずれのファクシミリデータ６３にも無線タグデータが含まれていない場合（Ｓ３０：Ｎｏ）、次に、無線タグデータ送信可能フラグ１３３がオンか否かを判断する（Ｓ３２）。無線タグデータ送信可能フラグ１３３がオンである場合（Ｓ３２：Ｙｅｓ）、ＮＳＳ信号を相手先装置６０へ送信する（Ｓ３４）。このＮＳＳ信号は、送信側装置から受信側装置へ送出されるファクシミリ制御信号であって、送信側装置が有している非標準の機能に関する設定を、相手先装置へ通知するための信号である。
【００７６】
本実施形態のファクシミリ装置１は、ファクシミリデータ６３に含まれる無線タグデータのサイズ６４（図３（ｂ）参照）に関するサイズ情報を、ＮＳＳ信号によって、相手先装置６０へ通知するのであるが、ここでは、送信すべきファクシミリデータ６３に無線タグデータが含まれていない場合であるので、サイズ情報「無線タグデータサイズ＝０」をＮＳＳ信号により通知する（Ｓ３４）。
【００７７】
一方、無線タグデータ送信可能フラグ１３３がオフである場合（Ｓ３２：Ｎｏ）、Ｓ３４の処理をスキップする。
【００７８】
次に、送信ファクシミリデータ記憶エリア１３１に記憶されているデータの中から、１ページ分のファクシミリデータ６３を読み出して送信する（Ｓ３６）。ここで送信するファクシミリデータ６３は、無線タグデータサイズ６４が「０」であって、無線タグデータを含まないファクシミリデータ６３である。
【００７９】
そして、全ページの処理を終了するまで（Ｓ３８：Ｎｏ）、Ｓ３６の処理を繰り返す。このようにして処理を繰り返すうちに全ページの処理を終了すると（Ｓ３８：Ｙｅｓ）、ファクシミリ送信処理を終了する。このように、原稿６１から無線タグデータが検出されなかった場合は、通常のファクシミリ送信と同様に、スキャナ装置２２で読み取った画像データが送信される。
【００８０】
次に、無線タグデータ有りの場合（Ｓ３０：Ｙｅｓ）について説明する。無線タグデータ有りの場合は、以下のＳ４２からＳ５８の処理で説明するように、無線タグデータ送信可能フラグ１３３がオンであるかオフであるか否かに基づいて、画像データと無線タグデータとが処理される。
【００８１】
まず、無線タグデータ送信可能フラグ１３３がオンか否かを判断する（Ｓ４０）。無線タグデータ送信可能フラグ１３３がオンである場合（Ｓ４０：Ｙｅｓ）、送信無線タグデータサイズ記憶エリア１３２（図２参照）に記憶されたデータサイズを調べ、無線タグデータのデータサイズが一種類か否かを判断する（Ｓ４２）。
【００８２】
無線タグデータのデータサイズが一種類である場合（Ｓ４２：Ｙｅｓ）、ＮＳＳ信号を相手先装置６０へ送信し、その一種類のサイズを、サイズ情報として相手先装置６０へ通知する（Ｓ４４）。次に、送信ファクシミリデータ記憶エリア１３１に記憶されているデータの中から１ページ分のファクシミリデータ６３を読み出して送信する（Ｓ４５）。ここで送信するファクシミリデータ６３は、画像データと無線タグデータとが原稿のページ毎に対応付けられたデータである。そして、全ページの処理を終了するまで（Ｓ５０）、Ｓ４５の処理を繰り返す。このようにして、全ページの処理を終了すると（Ｓ５０：Ｙｅｓ）、ファクシミリ送信処理を終了する。
【００８３】
このように、無線タグデータのデータサイズが一種類である場合は、ファクシミリデータ６３の送信に先立って、その一種類のサイズがサイズ情報として相手先装置６０へ通知されているので、ファクシミリデータ６３を受信した相手先装置６０は、先に通知されていたサイズ情報に従って、ファクシミリデータ６３から画像データと無線タグデータとを特定し、それぞれを処理することができる。また、各ページに適用可能な一種類のサイズを一度通知するのみであるので、各ページ毎に無線タグデータのサイズを通知する場合に比較して、通信処理の負荷が小さいというメリットがある。
【００８４】
一方、無線タグデータのデータサイズが、一種類ではない場合（Ｓ４２：Ｎｏ）、ＮＳＳ信号を相手先装置６０へ送信し、無線タグデータサイズとして「不定」を相手先装置６０へ通知する（Ｓ４６）。すなわち、無線タグデータサイズが一種類ではないことを示すサイズ情報を相手先装置へ通知する。このようにすれば、相手先装置６０は、送られてくる無線タグデータのデータサイズが一種類でないことを認識し、適切な対応が可能となる。
【００８５】
そして、送信ファクシミリデータ記憶エリア１３１に記憶されているデータの中から１ページ分のファクシミリデータ６３を読み出すと共に、そのページのファクシミリデータ６３に含まれる無線タグデータのデータサイズを送信無線タグデータサイズ記憶エリア１３２から読み出して、両者を対応つけて送信する（Ｓ４８）。このようにすれば、相手先装置６０は、原稿のページ毎に無線タグデータのデータサイズが異なっていたとしても、原稿のページ毎に送信される無線タグデータのデータサイズに従って、画像データと無線タグデータとを特定し、それぞれを処理することができる。
【００８６】
そして、全ページの処理を終了するまで（Ｓ５１）、Ｓ４８の処理を繰り返す。このようにして、全ページの処理を終了すると（Ｓ５１：Ｙｅｓ）、ファクシミリ送信処理を終了する。
【００８７】
次に、無線タグデータ有りの場合（Ｓ３０：Ｙｅｓ）であって、且つ、無線タグデータ送信可能フラグ１３３がオフの場合（Ｓ４０：Ｎｏ）について説明する。本実施形態のファクシミリ装置１では、無線タグデータ送信可能フラグ１３３がオフの場合、すなわち、相手先装置６０が無線タグデータを書き込む機能を有していない場合、ファクシミリ装置１から相手先装置６０への無線タグデータの送信を禁止する。このようにすれば、無線タグデータを処理できない相手先装置６０に無線タグデータを送信したために生じる、相手先装置６０のエラーを防止することができる。
【００８８】
そして、無線タグデータ無しでの画像データの送信が許可されているか否かを判断する（Ｓ５２）。この判断は、例えば、ファクシミリ装置１において、予めユーザがした設定に基づいて判断することとしても良いし、また、無線タグデータ内に記録された設定に従って判断することとしても良い。
【００８９】
すなわち、無線タグデータおよび画像データの内容によっては、無線タグデータ無しで画像データのみ送信しても良い場合があり得る。この場合、画像データのみ送り、無線タグデータは送らないこととすれば、一旦読み込んだ画像データが無駄にならず、作業の効率が良い。
【００９０】
一方、無線タグデータが重要な内容を含んでいる場合などは、無線タグデータ無しで画像データを送信すると好ましくない。よって、本実施形態のファクシミリ装置１では、ユーザの所望に沿って、無線タグデータ無しで送信するか否かを決定している。
【００９１】
無線タグデータ無しでの送信が許可されない場合（Ｓ５２：Ｎｏ）、そのページの無線タグデータの送信を禁止し、ファクシミリデータ６３を相手先装置６０のファクシミリ番号と対応付けて、送信データ保存メモリ１４１に保存する（Ｓ５６）。このようにすれば、スキャナ装置２２により読み取った画像データが無駄にならない。なお、この場合、ファクシミリデータ６３の保存に替えて、画像データのみを送信データ保存メモリ１４１に保存するように構成しても良い。
【００９２】
一方、無線タグデータ無し送信が許可されている場合（Ｓ５２：Ｙｅｓ）、そのページについては、無線タグデータの送信を禁止すると共に、画像データを送信する（Ｓ５４）。すなわち、無線タグデータを対応付けずに、画像データのみを送信する。このようにすれば、送信データ保存メモリ１４１には、無線タグデータ無し送信が許可されてないページのみ保存されるので、メモリの使用量を節約することができる。
【００９３】
そして、全ページの処理を終了するまで（Ｓ５８）、Ｓ５２から処理を繰り返す。このようにして処理を繰り返すうちに、全ページの処理を終了すると（Ｓ５８：Ｙｅｓ）、ファクシミリ送信処理を終了する。
【００９４】
本実施形態のファクシミリ送信処理によれば、原稿６１に無線タグ６２が付加されている場合、原稿６１の画像データと無線タグ６２に書き込まれている無線タグデータとを対応付けて相手先へ送信することができる。
【００９５】
また、相手先装置６０が、無線タグデータを書き込む機能を有しているか否かに基づいて、画像データと無線タグデータとを適宜処理しているので、相手先装置６０の機種に拘わらず、適切な送信処理を行うことができる。
【００９６】
次に、図７を参照して、ファクシミリ装置１のファクシミリ受信処理の動作を説明する。図７は、ファクシミリ受信処理を示すフローチャートである。このファクシミリ受信処理は、着信があり、送信元ファクシミリ装置（図示せず）との間に通信が開始されると実行される処理である。
【００９７】
まず、送信元ファクシミリ装置にＮＳＦ信号を送信する（Ｓ６２）。このＮＳＦ信号により、ファクシミリ装置１が有している非標準の機能、すなわちファクシミリ装置１が無線タグデータ書き込み機能を有することを、送信元ファクシミリ装置へ通知する。
【００９８】
次に、ＮＳＳ信号を受信するまで待機する（Ｓ６４）。ＮＳＳ信号を受信すると（Ｓ６４：Ｙｅｓ）、ＮＳＳ信号に含まれるサイズ情報を取得し、サイズ情報記憶エリア１３５（図２参照）に記憶する（Ｓ６８）。
【００９９】
次に、取得したサイズ情報が「無線タグデータサイズ＝０」であるか否かを判断する（Ｓ７０）。「無線タグデータサイズ＝０」である場合（Ｓ７０：Ｙｅｓ）、すなわち、受信したファクシミリデータ６３に、無線タグデータが含まれないことを示す値である場合、１ページ分のファクシミリデータ６３を受信し、受信ファクシミリデータ記憶エリア１３４に記憶する（Ｓ７２）、そして、全ページのファクシミリデータの受信を完了するまで（Ｓ７４）、Ｓ７２の処理を繰り返す。
【０１００】
このようにして、全ページのファクシミリデータ６３の受信を完了すると（Ｓ７４：Ｙｅｓ）、次に、１ページ分のファクシミリデータ６３に含まれる画像データに基づいて、レーザプリンタ３０（図１参照）により、記録用紙に画像を形成する（Ｓ７６）、そして、全ページのファクシミリデータ６３を処理するまで（Ｓ７８）、Ｓ７６の処理を繰り返す。
【０１０１】
このようにして全ページのファクシミリデータ６３の処理を完了すると（Ｓ７８）、ファクシミリ受信処理を終了する。
【０１０２】
一方、取得したサイズ情報が「無線タグデータサイズ＝０」でない場合（Ｓ７０：Ｎｏ）、次に、サイズ情報が、「無線タグデータサイズ＝不定」であるか否かを判断する（Ｓ８０）。「無線タグデータサイズ＝不定」である場合（Ｓ８０：Ｙｅｓ）、１ページ分のファクシミリデータ６３と、無線タグデータサイズとを受信する（Ｓ８２）。これにより、無線タグデータのデータサイズを原稿の各ページのそれぞれについて取得することができる。受信したファクシミリデータ６３は、受信ファクシミリデータ記憶エリア１３４に記憶され、受信したファクシミリデータサイズは、受信無線タグデータサイズ記憶エリア１３６に記憶される。このようにして、全ページのファクシミリデータ６３の受信を完了するまで（Ｓ８６）、処理を繰り返す。
【０１０３】
一方、サイズ情報が、「無線タグデータサイズ＝０」ではなく（Ｓ７０：Ｎｏ）、且つ「無線タグデータサイズ＝不定」でない場合（Ｓ８０：Ｎｏ）、すなわち、各ページのファクシミリデータ６３に含まれる無線タグデータのデータサイズが一種類であり、その一種類のデータサイズがサイズ情報として既に通知されていた場合は、１ページ分のファクシミリデータ６３を受信し、受信ファクシミリデータ記憶エリア１３６に記憶する（Ｓ８２）。すなわち、各ページのファクシミリデータ６３に含まれる無線タグデータのデータサイズが既に通知されているので、新たに各ページ毎に無線タグデータのデータサイズを取得する必要がない点において、サイズ情報が「無線タグデータサイズ＝不定」である場合と異なっている。このようにして、全ページのファクシミリデータ６３の受信を完了するまで（Ｓ８６）、処理を繰り返す。
【０１０４】
このようにして処理を繰り返すうちに、全ページのファクシミリデータ６３の受信を完了すると（Ｓ８６：Ｙｅｓ）、次に、１ページ分のファクシミリデータ６３と、そのファクシミリデータ６３に含まれる無線タグデータのデータサイズとを読み出す（Ｓ８７）。ここで、サイズ情報が「無線タグデータサイズ＝不定」であった場合は、受信無線タグデータサイズ記憶エリア１３６から各ページ毎のデータサイズが読み出される。一方、サイズが一種類であった場合は、サイズ情報記憶エリア１３５からその一種類のデータサイズが読み出される。
【０１０５】
そして、読み出した無線タグデータサイズと、検出センサ５４（図１参照）により検出された無線タグ７２の書き込み可能容量とを比較し、無線タグ７２の書き込み可能容量が、無線タグデータサイズ以上である記録用紙７１があるか否かを判断する。すなわち、各ページの無線タグデータを書き込むことができる記録用紙７１が給紙トレイ部５にセットされているか否かを判断する（Ｓ８８）。
【０１０６】
無線タグ７２の書き込み可能容量が、無線タグデータサイズ以上となる記録用紙７１がない場合（Ｓ８８：Ｎｏ）、画像データと無線タグデータの記録を停止し（Ｓ９８）、記録に必要な無線タグの情報を操作パネル（図示せず）の表示画面に表示する（Ｓ１００）。ここで表示画面に表示する情報としては、例えば「未出力データがあります。１６ｋビットの無線タグ付き記録用紙をセットしてください」などの文章を表示し、未出力のデータがあること、およびその未出力の無線タグデータを書き込み可能な無線タグの容量とをユーザに報知する。このようにすれば、ユーザは、必要な記録用紙を給紙トレイ部５にセットするなどの適切な行動をとることができる。
【０１０７】
一方、無線タグ７２の書き込み可能容量が、無線タグデータサイズ以上となる記録用紙７１がある場合（Ｓ８８：Ｙｅｓ）、その条件を満たす記録用紙７１を給紙トレイ部５から給紙する（Ｓ８９）。そして、その給紙された記録用紙７１に付加された無線タグに、無線タグライタ１６によって、ファクシミリデータ６３に含まれる無線タグデータを書き込む（Ｓ９０）。
【０１０８】
そして、ファクシミリデータ６３に含まれる画像データに基づいて、レーザプリンタ３０により記録用紙７１に画像を形成する（Ｓ９２）。このようにすれば、送信元ファクシミリ装置からファクシミリ送信した原稿６１の画像と、その原稿６１に付加された無線タグ６２に書き込まれていた無線タグデータとを、ファクシミリ装置１において、記録用紙７１とその記録用紙７１に埋め込まれた無線タグ７２とにページ単位で再現することができる。
【０１０９】
そして、記録用紙７１への記録が完了したファクシミリデータ６３を受信ファクシミリデータ記憶エリア１３４から消去する（Ｓ９４）。そして、全ページの処理を終了するまで（Ｓ９６）、Ｓ８７から処理を繰り返す。このようにして処理を繰り返すうちに、いずれかのページにおいて、無線タグデータのサイズが、無線タグデータの書き込み可能容量よりも大となると（Ｓ８８：Ｎｏ）、すなわち、記録を継続するうちに、無線タグデータを書き込み可能な記録用紙７１が尽きた場合、または給紙トレイ部５にセットされている記録用紙７１に付加された無線タグ７２の書き込み可能容量よりも大の無線タグデータを含むファクシミリデータ６３を処理する場合、そこで記録が停止される（Ｓ９８）。この記録停止により、記録用紙への記録がされなかったファクシミリデータ６３、すなわち、画像が形成されなかった画像データと、無線タグに書き込まれなかった無線タグデータとは、受信ファクシミリデータ記憶エリア１３４から消去されず、保存される。よって、送信元に対し同一のファクシミリデータを再送信してもらう必要がない。
【０１１０】
なお、受信ファクシミリデータ記憶エリア１３４に保存されたファクシミリデータ６３を記録可能な記録用紙７１が給紙トレイ部５にセットされたことが、検出センサ５４に検出された場合、受信ファクシミリデータ記憶エリア１３４に保存されていたファクシミリデータ６３の記録を再開するように構成しても良い。
【０１１１】
一方、このようにして処理を繰り返すうちに、全ページのファクシミリデータ６３が記録用紙７１に記録されると（Ｓ９６：Ｙｅｓ）、処理を終了する。
【０１１２】
本実施形態のファクシミリ装置１によれば、受信したファクシミリデータを、無線タグデータのデータサイズに応じて処理し、送信元ファクシミリ装置からファクシミリ送信した原稿６１の画像と、その原稿６１に付加された無線タグ６２に書き込まれていた無線タグデータとを、ファクシミリ装置１において、記録用紙７１とその記録用紙７１に埋め込まれた無線タグ７２とにページ単位で再現することができる。
【０１１３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１４】
例えば、図６を参照して説明した実施形態のファクシミリ送信処理では、ファクシミリ装置１の設定または無線タグデータ内の設定に従って、無線タグデータ無しでの画像データの送信が許可されているか否かを判断することとした（Ｓ５２）。これに替えて、無線タグデータ送信可能フラグがオフである場合（Ｓ４０）、無線タグデータ無しで画像データを送信するか、あるいは画像データを送信せずに送信データ保存メモリ１４１に保存するかを問い合わせる画面を、操作パネルの表示部に表示し、その問い合わせに対するユーザの応答に従って、画像データを処理するように構成しても良い。
【０１１５】
また、上述した実施形態のファクシミリ装置１では、無線タグリーダ１５、無線タグライタ１６，スキャナ装置２２、レーザプリンタ３０が全てファクシミリ装置１の内部構成として設けられていたが、これらがファクシミリ装置１に対し、ケーブルなどを介して接続された外付けの構成であっても良い。
【０１１６】
また、上述した実施形態のファクシミリ装置１では、自動原稿送り装置２によって原稿６１の画像データが読み取られるものとして説明したが、フラットベッド方式で画像データを読み取るファクシミリ装置にも、本発明が適用できることはもちろんである。
【０１１７】
また、上述したファクシミリ受信処理（図７参照）で説明したように、実施形態のファクシミリ装置１では、無線タグ７２の書き込み可能容量が、無線タグデータサイズ以上となる記録用紙７１がある場合（Ｓ８８：Ｙｅｓ）、その条件を満たす記録用紙７１を給紙トレイ部５から給紙し（Ｓ８９）、その給紙された記録用紙７１に付加された無線タグに、無線タグライタ１６によって、ファクシミリデータ６３に含まれる無線タグデータを書き込むこととしていた（Ｓ９０）。
【０１１８】
この場合、条件を満たす記録用紙７１が複数種類検出された場合、その条件を満たす記録用紙７１のうち、書き込み可能容量が最小の無線タグ７２が付加された記録用紙７１を選択して給紙するように構成しても良い。このようにすれば、大容量の無線タグ７２が付加された高価な記録用紙７１の使用を節約することができる。
【０１１９】
また、上述したファクシミリ受信処理（図７参照）では、サイズ情報が「無線タグデータサイズ＝０」である場合（Ｓ７０：Ｙｅｓ）、記録用紙７１に画像を形成していたが、ここで画像を形成する記録用紙７１として、無線タグが付加されていない記録用紙７１または書き込み可能容量が最小の無線タグ７２が付加された記録用紙７１を選択して給紙するように構成しても良い。このようにしても、大容量の無線タグ７２が付加された高価な記録用紙７１の使用を節約することができる。
【０１２０】
また、上述したファクシミリ受信処理（図７参照）では、無線タグデータを書き込み可能な記録用紙７１がないと判断されたとき（Ｓ８８：Ｎｏ）、それ以降のページの記録を停止していた（Ｓ９８）。これに対し、無線タグデータを書き込み可能な記録用紙７１がないと判断されたページについてのみ記録をせず、無線タグデータを書き込み可能な記録用紙７１があると判断されたページについては記録を継続するように構成しても良い。すなわち、図７に示すファクシミリ受信処理において、無線タグデータを書き込み可能な記録用紙７１がないと判断された場合（Ｓ８８：Ｎｏ）、Ｓ９８,Ｓ１００の処理を行うのではなく、Ｓ９６の処理に移行し、Ｓ８９，Ｓ９０，Ｓ９２，Ｓ９４の処理をスキップするように構成すれば良い。
【０１２１】
このようにすれば、書き込み不能なページのみがファクシミリデータ６３を保存されることとなるので、ファクシミリデータ６３を保存するためのメモリ容量を節約することができる。
【０１２２】
さらに、本実施形態においては、記録用紙と無線タグとが一体に形成されている場合を例として説明したが、これに限定されるものではない。例えば、受信側の装置構成によっては、記録用紙と無線タグとが別体となっている場合も想定される。その場合、ファクシミリ受信処理で画像データとそれに対応する無線タグデータとが受信されると、画像データについては通常の記録用紙に記録され、無線タグデータについては別体の無線タグに書き込まれる。このような別体の無線タグは、ラベルのように裏面に接着部分を備えており、無線タグデータの書き込み後に自動、もしくは手動により対応する画像データが記録された記録用紙に添付されるような方式であってもよい。これによっても、結果的に、記録用紙に無線タグが付加された出力結果を得ることができる。同様に、送信側においても、原稿と無線タグとは必ずしも一体である必要はなく、ページ毎の対応が管理できていれば、別々に読み取られる構成であってもよい。
【図面の簡単な説明】
【０１２３】
【図１】本発明の通信装置の一実施形態としてのファクシミリ装置の模式的な断面図を示す。
【図２】ファクシミリ装置の電気的構成を示すブロック図である。
【図３】（ａ）は、ファクシミリ装置と相手先装置との間で行われるファクシミリ送受信を模式的に示す図であり、（ｂ）は、無線タグデータと画像データとから作成される１ページ分のファクシミリデータを模式的に示す図である。
【図４】（ａ）は、無線タグの電気的構成を示す概略的なブロック図であり、（ｂ）は、無線タグリーダと無線タグライタとの電気的構成を示す概略的なブロック図である。
【図５】ファクシミリ送信処理を示すフローチャートである。
【図６】図５に示すファクシミリ送信処理の続きの処理を示すフローチャートである。
【図７】ファクシミリ受信処理を示すフローチャートである。
【符号の説明】
【０１２４】
１                            ファクシミリ装置（通信装置）
２ａ                          原稿載置部
１５                          無線タグリーダ（無線タグ読出手段）
１６                          無線タグライタ
２２                          スキャナ装置（読取手段）
３０                          レーザプリンタ
５４                          検出センサ（記録媒体検出手段）
６０                          相手先装置
６１                          原稿
６２                          無線タグ
７１                          記録用紙（記録媒体の一例）
７２                          無線タグ
１３４                        受信ファクシミリデータ記憶エリア（データ保存手段）
Ｓ１０                        検出手段
Ｓ２４                        機能情報取得手段
Ｓ４２                        データサイズ判断手段
Ｓ３４，Ｓ４４，Ｓ４６        データサイズ通知手段
Ｓ４５，Ｓ４８                送信手段
Ｓ６８                        データサイズ情報取得手段
Ｓ７２〜Ｓ１００              記録制御手段
Ｓ８０                        データサイズ種類判断手段
Ｓ８２，Ｓ８４                受信手段
Ｓ８２                        データサイズ確認手段
Ｓ８８                        記録媒体有無判断手段
Ｓ９０，Ｓ９２                記録手段
Ｓ９８                        記録停止手段
Ｓ１００                      報知手段
【図１】
2008211717.tif 000003
【図２】
2008211717.tif 000004
【図３】
2008211717.tif 000005
【図４】
2008211717.tif 000006
【図５】
2008211717.tif 000007
【図６】
2008211717.tif 000008
【図７】
2008211717.tif 000009